【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
商品販売データ処理装置で販売された商品の取引に係る電子レシートデータを記憶する電子レシートデータ記憶部と、
ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶手段と、
前記返品データ記憶手段によって記憶された前記返品データに基づいて、返品された商品が購入された取引の電子レシートデータを前記電子レシートデータ記憶部に記憶されている電子レシートデータから特定する電子レシートデータ特定手段と、
前記返品データに基づいて、前記電子レシートデータ特定手段によって特定された電子レシートデータに含まれている商品を特定する商品特定データから返品された商品の商品特定データを特定する商品データ特定手段と、
前記商品データ特定手段によって特定された商品特定データに対して商品が返品されたことを示すフラグを関連付けて記憶する関連付手段と、
端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力手段と、
前記返品データ記憶手段によって記憶された前記返品データに前記商品特定データが含まれているかを判断する判断手段と、
を備え、
前記電子レシートデータ特定手段は、前記判断手段が前記商品特定データが含まれると判断した場合には、前記返品データ記憶手段が記憶した前記取引番号に基づいて、前記電子レシートデータ記憶部に記憶されている当該取引番号の電子レシートデータを特定する、
情報処理装置。
【請求項２】
前記電子レシートデータ特定手段は、前記判断手段が前記商品特定データが含まれないと判断した場合には、前記返品データ記憶手段が記憶した前記取引番号または前記会員コードと特定された商品の商品名と単価に基づいて、前記電子レシートデータ記憶部に記憶されている当該取引番号の電子レシートデータを特定する、
請求項１に記載の情報処理装置。
【請求項３】
前記端末装置から電子レシートの照会があると、当該電子レシートに係る電子レシートデータに前記関連付手段によって商品が返品されたことを示すフラグが関連付けて記憶されている商品特定データが含まれていない場合には、前記電子レシートデータ記憶部に記憶された前記電子レシートデータに基づいて所定のレイアウトの第２電子レシートを生成して前記端末装置に出力する第２電子レシート出力手段、をさらに備え、
前記電子レシート出力手段は、前記第２電子レシート出力手段によって前記第２電子レシートを出力した後に端末装置から電子レシート照会情報を受信すると、前記電子レシートデータに前記関連付手段によって商品が返品されたことを示すフラグが関連付けて記憶されている商品特定データが含まれている場合には、前記レイアウトと同一のレイアウトの前記電子レシートを生成する、
請求項１または２に記載の情報処理装置。
【請求項４】
前記関連付手段は、前記返品データ記憶手段が記憶した前記返品データに基づいて、抽出された前記電子レシートデータに含まれる返品された商品の前記商品特定データと前記商品が返品されたことを示すフラグを対応付けて記憶し、
前記電子レシート出力手段は、前記端末装置から電子レシートの照会があると、照会された電子レシートの前記電子レシートデータに含まれる商品特定データのうち前記関連付手段が商品が返品されたことを示すフラグを対応づけて記憶した商品特定データの商品について、当該商品の情報に商品が返品されていることを示す情報を重ねて前記端末装置に表示させる電子レシートを生成する、
請求項１乃至３のいずれか一に記載の情報処理装置。
【請求項５】
前記商品が返品されていることを示す情報は、取消線または網掛を示す情報であり、
前記電子レシート出力手段は、前記取消線または網掛を示す情報を前記商品特定データで特定される商品の情報のすべてに重ねて表示させる前記電子レシートを生成する、
請求項１乃至４のいずれか一に記載の情報処理装置。
【請求項６】
商品販売データ処理装置で販売された商品の取引に係る電子レシートデータを記憶する電子レシートデータ記憶部を備えた情報処理装置としてのコンピュータを、
ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶手段と、
前記返品データ記憶手段によって記憶された前記返品データに基づいて、返品された商品が購入された取引の電子レシートデータを前記電子レシートデータ記憶部に記憶されている電子レシートデータから特定する電子レシートデータ特定手段と、
前記返品データに基づいて、前記電子レシートデータ特定手段によって特定された電子レシートデータに含まれている商品を特定する商品特定データから返品された商品の商品特定データを特定する商品データ特定手段と、
前記商品データ特定手段によって特定された商品特定データに対して商品が返品されたことを示すフラグを関連付けて記憶する関連付手段と、
端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力手段と、
前記返品データ記憶手段によって記憶された前記返品データに前記商品特定データが含まれているかを判断する判断手段と、
として機能させ、
前記電子レシートデータ特定手段は、前記判断手段が前記商品特定データが含まれると判断した場合には、前記返品データ記憶手段が記憶した前記取引番号に基づいて、前記電子レシートデータ記憶部に記憶されている当該取引番号の電子レシートデータを特定する、
ためのプログラム。
【請求項７】
前記電子レシートデータ特定手段は、前記判断手段が前記商品特定データが含まれないと判断した場合には、前記返品データ記憶手段が記憶した前記取引番号または前記会員コードと特定された商品の商品名と単価に基づいて、前記電子レシートデータ記憶部に記憶されている当該取引番号の電子レシートデータを特定する、
請求項６に記載のプログラム。
【請求項８】
商品販売データ処理装置で販売された商品の取引に係る電子レシートデータを記憶する電子レシートデータ記憶部と、
ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶手段と、
前記返品データ記憶手段によって記憶された前記返品データに基づいて、返品された商品が購入された取引の電子レシートデータを前記電子レシートデータ記憶部に記憶されている電子レシートデータから特定する電子レシートデータ特定手段と、
前記返品データに基づいて、前記電子レシートデータ特定手段によって特定された電子レシートデータに含まれている商品を特定する商品特定データから返品された商品の商品特定データを特定する商品データ特定手段と、
前記商品データ特定手段によって特定された商品特定データに対して商品が返品されたことを示すフラグを関連付けて記憶する関連付手段と、
端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力手段と、
前記返品データ記憶手段によって記憶された前記返品データに前記商品特定データが含まれているかを判断する判断手段と、
を備え、
前記電子レシートデータ特定手段は、前記判断手段が前記商品特定データが含まれると判断した場合には、前記返品データ記憶手段が記憶した前記取引番号に基づいて、前記電子レシートデータ記憶部に記憶されている当該取引番号の電子レシートデータを特定する、
システム。
【請求項９】
前記電子レシートデータ特定手段は、前記判断手段が前記商品特定データが含まれないと判断した場合には、前記返品データ記憶手段が記憶した前記取引番号または前記会員コードと特定された商品の商品名と単価に基づいて、前記電子レシートデータ記憶部に記憶されている当該取引番号の電子レシートデータを特定する、
請求項８に記載のシステム。
【請求項１０】
商品販売データ処理装置で販売された商品の取引に係る電子レシートデータを記憶する電子レシートデータ記憶部を備えた情報処理装置における電子レシート出力方法であって、
ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶工程と、
前記返品データ記憶工程によって記憶された前記返品データに基づいて、返品された商品が購入された取引の電子レシートデータを前記電子レシートデータ記憶部に記憶されている電子レシートデータから特定する電子レシートデータ特定工程と、
前記返品データに基づいて、前記電子レシートデータ特定工程によって特定された電子レシートデータに含まれている商品を特定する商品特定データから返品された商品の商品特定データを特定する商品データ特定工程と、
前記商品データ特定工程によって特定された商品特定データに対して商品が返品されたことを示すフラグを関連付けて記憶する関連付工程と、
端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力工程と、
前記返品データ記憶工程によって記憶された前記返品データに前記商品特定データが含まれているかを判断する判断工程と、
を含み、
前記電子レシートデータ特定工程は、前記判断工程が前記商品特定データが含まれると判断した場合には、前記返品データ記憶工程が記憶した前記取引番号に基づいて、前記電子レシートデータ記憶部に記憶されている当該取引番号の電子レシートデータを特定する、
電子レシート出力方法。
【請求項１１】
前記電子レシートデータ特定工程は、前記判断工程が前記商品特定データが含まれないと判断した場合には、前記返品データ記憶工程が記憶した前記取引番号または前記会員コードと特定された商品の商品名と単価に基づいて、前記電子レシートデータ記憶部に記憶されている当該取引番号の電子レシートデータを特定する、
請求項１０に記載の電子レシート出力方法。
【手続補正２】
【補正対象書類名】明細書
【補正対象項目名】発明の名称
【補正方法】変更
【補正の内容】
【発明の名称】情報処理装置、プログラム、システムおよび電子レシート出力方法
【手続補正３】
【補正対象書類名】明細書
【補正対象項目名】０００１
【補正方法】変更
【補正の内容】
【０００１】
本発明の実施形態は、情報処理装置、プログラム、システムおよび電子レシート出力方法に関する。
【手続補正４】
【補正対象書類名】明細書
【補正対象項目名】０００５
【補正方法】変更
【補正の内容】
【０００５】
本発明が解決しようとする課題は、携帯端末に電子レシートを表示する仕組みを使用して、店舗の販売促進に繋がる情報処理装置、プログラム、システムおよび電子レシート出力方法を提供することである。
【手続補正５】
【補正対象書類名】明細書
【補正対象項目名】０００６
【補正方法】変更
【補正の内容】
【０００６】
実施形態の情報処理装置は、商品販売データ処理装置で販売された商品の取引に係る電子レシートデータを記憶する電子レシートデータ記憶部と、ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶手段と、前記返品データ記憶手段によって記憶された前記返品データに基づいて、返品された商品が購入された取引の電子レシートデータを前記電子レシートデータ記憶部に記憶されている電子レシートデータから特定する電子レシートデータ特定手段と、前記返品データに基づいて、前記電子レシートデータ特定手段によって特定された電子レシートデータに含まれている商品を特定する商品特定データから返品された商品の商品特定データを特定する商品データ特定手段と、前記商品データ特定手段によって特定された商品特定データに対して商品が返品されたことを示すフラグを関連付けて記憶する関連付手段と、端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力手段と、前記返品データ記憶手段によって記憶された前記返品データに前記商品特定データが含まれているかを判断する判断手段と、を備え、前記電子レシートデータ特定手段は、前記判断手段が前記商品特定データが含まれると判断した場合には、前記返品データ記憶手段が記憶した前記取引番号に基づいて、前記電子レシートデータ記憶部に記憶されている当該取引番号の電子レシートデータを特定する。
【手続補正６】
【補正対象書類名】明細書
【補正対象項目名】０００７
【補正方法】変更
【補正の内容】
【０００７】
実施形態のプログラムは、商品販売データ処理装置で販売された商品の取引に係る電子レシートデータを記憶する電子レシートデータ記憶部を備えた情報処理装置としてのコンピュータを、ネットワークを介して前記商品販売データ処理装置から受信した、少なくとも前記取引を特定する取引番号または会員を特定する会員コードを含む前記販売された商品のうちの一または複数の商品が前記商品販売データ処理装置によって返品処理されたことを示す返品データを記憶する返品データ記憶手段と、前記返品データ記憶手段によって記憶された前記返品データに基づいて、返品された商品が購入された取引の電子レシートデータを前記電子レシートデータ記憶部に記憶されている電子レシートデータから特定する電子レシートデータ特定手段と、前記返品データに基づいて、前記電子レシートデータ特定手段によって特定された電子レシートデータに含まれている商品を特定する商品特定データから返品された商品の商品特定データを特定する商品データ特定手段と、前記商品データ特定手段によって特定された商品特定データに対して商品が返品されたことを示すフラグを関連付けて記憶する関連付手段と、端末装置から電子レシートの照会情報を受信すると、当該電子レシートに係る電子レシートデータに前記フラグが関連付けて記憶されている商品特定データが含まれている場合には、前記電子レシートデータに基づいて当該商品特定データで特定される商品の情報に当該商品が返品されていることを示す情報を重ねて前記端末装置に表示させる電子レシートを生成して、電子レシートの照会があった前記端末装置に出力する電子レシート出力手段と、前記返品データ記憶手段によって記憶された前記返品データに前記商品特定データが含まれているかを判断する判断手段と、として機能させ、前記電子レシートデータ特定手段は、前記判断手段が前記商品特定データが含まれると判断した場合には、前記返品データ記憶手段が記憶した前記取引番号に基づいて、前記電子レシートデータ記憶部に記憶されている当該取引番号の電子レシートデータを特定する。